(57)【特許請求の範囲】
【請求項１】
スピーカと、
該スピーカを駆動する増幅回路と、
前記スピーカの前面に設けられたスピーカグリルと、
自身が水面または水中に落下したこと（以下「水没」と呼ぶ）を検出するとともに、前記水面または水中から取り上げられたこと（以下「取り上げ」と呼ぶ）を検出する水没検出部と、
前記取り上げが検出されたことに応じて、前記スピーカグリル内に侵入した水を排水するための排水音信号を生成して前記増幅回路に入力する制御部と、
前記増幅回路に供給する電源をオン／オフする電源供給回路と、
前記電源供給回路の前記電源供給を手動でオン／オフするスイッチと、
を備え、
前記制御部は、前記スイッチがオフの場合、前記水没が検出されたことに応じて前記電源供給をオンし、前記排水音信号の生成が終了したとき前記電源供給をオフする
電子機器。
【請求項２】
前記制御部は、前記排水音信号の生成および前記増幅回路への入力を、予め定めた時間実行する請求項１に記載の電子機器。
【請求項３】
前記増幅回路の前段に、該増幅回路に入力される音声信号の信号レベルを調整する音量調整回路を備え、
前記制御部は、前記排水音信号を、前記音量調整回路を介さずに前記増幅回路に入力する請求項１または請求項２に記載の電子機器。
【請求項４】
前記制御部による前記増幅回路への排水音信号の入力に同期して、前記増幅回路に供給する電源電圧を通常動作の電圧よりも高くする昇圧部をさらに備えた請求項１乃至請求項３のいずれかに記載の電子機器。
【請求項５】
発光素子を有し、前記制御部による前記増幅回路への排水音信号の入力と並行して、前記発光素子を点灯または点滅させる発光回路をさらに備えた請求項１乃至請求項４のいずれかに記載の電子機器。
【請求項６】
前記制御部は、前記水没から前記取り上げまでの間、自身の存在位置を報知するアラーム音信号を生成して前記増幅回路に入力する請求項１乃至請求項５のいずれかに記載の電子機器。
【請求項７】
前記水没検出部は、一対の電極を有し、これらの電極が相互に導通することによって前記水没を検出し、そののち非導通になることによって前記取り上げを検出する請求項１乃至請求項６のいずれかに記載の電子機器。
【発明の詳細な説明】
【技術分野】
【０００１】
この発明は、電子機器に関し、特にはスピーカグリルで前面を保護されたスピーカを有する電子機器に関する。
【背景技術】
【０００２】
トランシーバなどのスピーカを備えた電子機器には、水中に取り落とした場合でも機能が損なわれないように内部を防水したものが提案されている（特許文献１参照）。防水の機器の場合、水没しても電子回路等の機能に支障はないが、スピーカグリル内部に水が浸入してスピーカが発する音声が外部へ伝達できなくなる場合がある。
【０００３】
これを解決するため、スピーカを強く振動させて、その圧力（音圧）でスピーカグリル内の水を排出させる技術も提案されている（特許文献２参照）。
【先行技術文献】
【特許文献】
【０００４】
【特許文献１】特開２０１２−０４４４３３号公報
【０００５】
【特許文献２】特許第４６８００１１号公報
【発明の概要】
【発明が解決しようとする課題】
【０００６】
特許文献２の技術では、スピーカグリル内に侵入した水を排水することが可能であるが、この機能を作動させるには、ユーザが複数のキースイッチを組み合わせてオンするという操作う行わなければならず面倒であるうえ、電子機器を水没させて慌てて取り上げたユーザに、忘れずにこの操作行うことを要求するのは難しいことである。このため、排水機能を作動させることを忘れたユーザは、水中から取り上げた電子機器から音が聴こえてこないため、故障と間違えてしまう場合があった。
【０００７】
また、水中から取り上げられた電子機器から音が聴こえていても、スピーカグリルの内部に水が残っていると考えられ、その状態のままで使用を再開するのは好ましいことではない。
【０００８】
この発明は、水中に取り落とされた場合でも、取り上げられたのちに確実にスピーカグリル内の水を排出させるとことが可能な電子機器を提供することを目的とする。
【課題を解決するための手段】
【０００９】
本発明の電子機器は、スピーカと、該スピーカを駆動する増幅回路と、前記スピーカの前面に設けられたスピーカグリルと、自身が水面または水中に落下したこと（以下「水没」と呼ぶ）を検出するとともに、前記水面または水中から取り上げられたこと（以下「取り上げ」と呼ぶ）を検出する水没検出部と、前記取り上げが検出されたことに応じて、前記スピーカグリル内に侵入した水を排水するための排水音信号を生成して前記増幅回路に入力する制御部と、前記増幅回路に供給する電源をオン／オフする電源供給回路と、前記電源供給回路の前記電源供給を手動でオン／オフするスイッチと、を備え、前記制御部は、前記スイッチがオフの場合、前記水没が検出されたことに応じて前記電源供給をオンし、前記排水音信号の生成が終了したとき前記電源供給をオフすることを特徴とする。
【００１０】
前記制御部は、前記排水音信号の生成および前記増幅回路への入力を、予め定めた時間実行するものとしてもよい。
【００１１】
前記増幅回路の前段に、該増幅回路に入力される音声信号の信号レベルを調整する音量調整回路を備えている場合でも、前記制御部は、前記排水音信号を、前記音量調整回路を介さずに前記増幅回路に入力してもよい。
【００１２】
上記発明において、さらに、前記制御部による前記増幅回路への排水音信号の入力に同期して、前記増幅回路に供給する電源電圧を通常動作の電圧よりも高くする昇圧部を備えてもよい。
【００１３】
上記発明において、発光素子を有し、前記制御部による前記増幅回路への排水音信号の入力と並行して、前記発光素子を点灯または点滅させる発光回路をさらに備えてもよい。
【００１４】
前記制御部を、前記水没から前記取り上げまでの間、自身の存在位置を報知すとるアラーム音信号を生成して前記増幅回路に入力するようにしてもよい。
【００１５】
前記水没検出部を、一対の電極を有し、これらの電極が相互に導通することによって前記水没を検出し、そののち非導通になることによって前記取り上げを検出するものとしてもよい。
【発明の効果】
【００１６】
この発明によれば、電子機器が水中から取り上げられたとき、スピーカグリルに侵入した水を自動的に排出させることができる。
【図面の簡単な説明】
【００１７】
【図１】この発明の実施形態であるトランシーバの外観図である。
【図２】同トランシーバのスピーカグリル付近の縦断面図である。
【図３】同トランシーバの電子回路のブロック図である。
【図４】同トランシーバの制御部の動作を示すフローチャートである。
【図５】同トランシーバの制御部の動作を示すフローチャートである。
【発明を実施するための形態】
【００１８】
図面を参照してこの発明の実施形態であるトランシーバについて説明する。図１はトランシーバの外観図である。同図（Ａ）はトランシーバの正面図、同図（Ｂ）はトランシーバの右側面図、同図（Ｃ）はトランシーバの背面図である。
【００１９】
まず、このトランシーバ１の概要を説明する。このトランシーバ１は、船舶通信用のハンディ機器であり、マリンＶＨＦバンドの無線通信を行う。トランシーバ１は、本体１０の上面にロッドアンテナ１２を設けた外観をしている。トランシーバ１は、電源として軽量且つ大容量のリチウムイオン電池を用いたこと等により全体の重量が軽量化され、筐体１１が防水されていることと相まって、水に落下したときでも沈むことなく水面に浮きあがる。トランシーバ１は、内部の重心バランスにより、筐体１１の前面が上、背面が下になった姿勢で水面に浮かぶ。なお、この明細書では、水面に落下することを便宜上「水没」と呼ぶ。
【００２０】
筐体１１の背面には、一対の電極１３、１３が設けられている。電極１３、１３は、トランシーバ１が水没し、水を介して短絡することにより相互に導通する。この導通によって、内部の回路が起動し、ユーザに水没および所在位置を知らせる水没告知動作が実行される。水没告知動作では、ディスプレイ１６およびキーパネル１７のバックライトが点滅するとともに、スピーカ２５（図２参照）からアラーム音が放音される。また、水面からトランシーバ１が取り上げられたとき、水没告知動作のうちアラーム音の放音が停止され、これに代えて、スピーカグリル排水動作が実行される。スピーカグリル排水動作は、スピーカ２５から、大きな音量の排水音を放音し、その音圧でスピーカグリル１８に詰まった水を排出する動作である。
【００２１】
次に、トランシーバ１の外観について詳細に説明する。上述したように、トランシーバ１は、筐体１１を含む本体１０、および、筐体１１の上面に設けられたアンテナ１２を有する外観をなしている。アンテナ１２は、筐体１１の上面に上方に向けて設けられている。アンテナ１２は、コイル状のアンテナ線を樹脂パイプに収納したロッド状のアンテナである。
【００２２】
筐体１１の前面には、上から順に、ディスプレイ１６、キーパネル１７、および、スピーカグリル１８が設けられている。スピーカグリル１８の内部には、スピーカ２５が設けられている。筐体１１の右側面にはＰＴＴ（プッシュ・トゥ・トーク）スイッチ１９が設けられている。筐体１１の上面のアンテナ１２の向かって左側には防水キャップが被せられたＳＰ／ＭＩＣコネクタ１４が設けられている。
【００２３】
ディスプレイ１６は、液晶（ＬＣＤ）ディスプレイであり、背面にバックライトとしてＬＥＤ６１（図３参照）を有している。ディスプレイ１６には、通信チャンネル、音量のほか、各種の設定項目が表示される。キーパネル１７には、排水キー１７０、ディレクションキー１７１、パワーキー１７２を含む複数のキースイッチが配列されている。パワーキー１７２は、電源をオン／オフするためのキースイッチであり、ユーザが一定時間（たとえば２秒以上）このボタンをオンすると、トランシーバ１の電源がオフからオンまたはオンからオフに切り換えられる。ディレクションキー１７１は、上下左右キーと決定キーを有し、ディスプレイ１６上に表示された設定項目などを選択・設定する場合などに使用される。排水キー１７０は、上述したスピーカグリル排水動作を手動で実行させる場合に使用される。また、キーパネル１７の背面にもバックライトとしてＬＥＤ６１（図３参照）が設けられている。キーパネル１７の各キースイッチは、キートップが透明または半透明になっており、バックライトの点灯により背面から照明される。
【００２４】
筐体１１の背面にはクリップホルダ１５および一対の電極１３、１３が設けられている。背面の中央に設けられているクリップホルダ１５には、ベルトクリップが取り付けられる。電極１３、１３は、背面の上部左右にそれぞれ設けられており、トランシーバ１が水没したとき、水を介して短絡することによって相互に導通する。トランシーバ１の制御部である制御部３０（図３参照）は、この導通によって、トランシーバ１の水没を検出する。
【００２５】
図２は、スピーカグリル１８付近の一部縦断面図である。スピーカーグリル１８は、筐体１１前面に横方向に形成された複数の桟１８０を有している。各桟１８０は、筐体内側から筐体外側に向けて下向きに傾斜する形状の断面を有し、各桟１８０の間に形成された開口部１８１は、下向きに開口して雨水などの浸入が抑制されている。
【００２６】
スピーカグリル１８の内側にスピーカ２５と同径の凹部が形成されており、この凹部にスピーカ２５がはめ込まれて固定されている。スピーカ２５の前面には、異物侵入防止ネット２４が取り付けられている。スピーカ２５は、防水型のものが使用されている。桟１８０と異物侵入防止ネット２４との間には、空間２６が設けられている。この空間２６は、スピーカ２５の振動（音波）がスピーカグリル１８から外部に放出しやすくしているとともに、スピーカグリル１８内に浸入した水を縦方向に排水する排水路の機能を果たしている。
【００２７】
図３のブロック図を参照してトランシーバ１の回路構成について説明する。この図ではトランシーバ１の回路のうち、電源制御およびオーディオ信号処理に関連する回路を示している。トランシーバ１は、制御部である制御部３０、電源制御回路３１、受信回路３２、および、ＬＥＤ点灯回路３３を有している。制御部３０は、ＣＰＵに加えて、メモリ、各種のインタフェース、Ａ／Ｄ，Ｄ／Ａコンバータ等を備えたいわゆるマイクロコントローラ（ＭＣＵ，μＣ）であり、図４、図５のフローチャートに示す水没監視動作を含むトランシーバ１の全体動作を制御する。電源制御回路３１はバッテリ４４を有し、制御部３０、受信回路３２、ＬＥＤ点灯回路３３への電源の供給を制御する。受信回路３２は、高周波信号の受信およびオーディオ信号の放音を処理する回路である。受信回路の最終段に図２に示したスピーカ２５が接続されている。ＬＥＤ点灯回路３３は、制御部３０から入力されるＬＥＤ点灯信号ＬＯＮに応じて、ＬＥＤ６１を点灯させる回路である。上述したように、ＬＥＤ６１は、ディスプレイ１６およびキーパネル１７を背面から照明するバックライトとして用いられるとともに、水没時には点滅制御されてトランシーバ１の所在位置を知らせる機能を果たす。
【００２８】
電源制御回路３１は、電源スイッチング回路４０、水没検出回路４１、ＯＲ回路４２、電源供給回路４３およびバッテリ４４を有している。バッテリ４４は、たとえばリチウムイオン電池であり、その電圧はたとえば７．４Ｖである。電源スイッチング回路４０は、上述のパワーキー１７２およびホールド回路４０Ａを有する。ホールド回路４０Ａは、電源スイッチオン信号ＰＳＯＮを出力する。ホールド回路４０Ａは、パワーキー１７２が一定時間以上オンされたときＰＳＯＮの状態（Ｈ／Ｌ）を反転する。ＰＳＯＮはＯＲ回路４２に入力される。水没検出回路４１は、上述の電極１３、１３を含み、水没信号ＷＥＴを出力する。水没検出回路４１は、電極１３、１３が導通している間、ＷＥＴをＨに立ち上げる。ＷＥＴはＯＲ回路４２および制御部３０に入力される。ＯＲ回路４２には、ＰＳＯＮ、ＷＥＴに加えて、制御部３０から出力される電源維持信号ＰＯＮも入力される。ＰＯＮについては後述する。
【００２９】
ＯＲ回路４２の出力は、電源供給回路４３に入力される。電源供給回路４３は、ＯＲ回路４２からＨ信号が入力されたとき、バッテリ４４の電力を制御部３０、受信回路３２およびＬＥＤ点灯回路３３に供給し、トランシーバ１を電源オン状態にする。
【００３０】
したがって、パワーキー１７２によってオン操作がされたとき（ＰＳＯＮがＨのとき）、水没が検出されているとき（ＷＥＴがＨのとき）、または、制御部３０の電源維持信号ＰＯＮがＨのとき、ＯＲ回路４２はＨを出力し、電源供給回路４３によって、トランシーバ１の電源がオンされる。
【００３１】
電源供給回路４３は、バッテリ４４の電圧を、各回路の動作電圧に合わせて、降圧／昇圧し、または、そのままの電圧で、各回路に供給する。具体的には、制御部３０に対しては３Ｖの電源電圧を供給し、受信回路３２およびＬＥＤ点灯回路３３には５Ｖの電源電圧を供給する。
【００３２】
受信回路３２は、受信復調回路５０、電子ボリューム５１、信号切換回路５２、ＡＦアンプ５３、スピーカ２５、および、昇圧回路５４を備えている。受信復調回路５０は、通信相手からの信号を受信してオーディオ信号である受信信号に復調する回路である。復調された受信信号は、電子ボリューム５１に入力される。電子ボリューム５１は、入力された受信信号の信号レベルを調整する回路であり、可変ゲインアンプ方式、ラダー抵抗方式等種々の方式を採用することが可能である。電子ボリューム５１は、制御部３０から入力されるボリューム制御信号ＶＯＬによって制御される。
【００３３】
信号切換回路５２は、電子ボリューム５１から入力される受信信号、制御部３０から入力されるオーディオ信号のいずれか一方の信号をＡＦアンプ５３に入力する。制御部３０からは、アラーム音、排水音、および、各種のビープ音がオーディオ信号として信号切換回路５２に入力される。信号切換回路５２は、制御部３０から入力される制御信号であるオーディオ切換信号ＡＣＨにより、電子ボリューム５１側、制御部３０側のどちらを選択するかを切り換える。
【００３４】
アラーム音は、水没告知動作時に発生される間欠的に鳴動する音声であり、人間の聴覚で感度よく聴こえる３ｋＨｚ付近の正弦波である。また、ＡＦアンプ５３に入力されるアラーム音信号の信号レベルは、最大レベルでもよいが、ユーザに存在位置を知らせ、且つ、バッテリ４４の消耗を抑えることのできる適当なレベルに決定されればよい。
【００３５】
排水音は、スピーカグリル排水動作時に発生される音声であり、３００Ｈｚの矩形波である。なお、排水音の周波数および波形は、スピーカ２５の特性、スピーカグリル１８内の容量、通信機の形状などの条件に合わせて適宜決定すればよいが、１００Ｈｚ〜５００Ｈｚの周波数および矩形波または鋸波の波形が好適である。また、排水音信号は、ＡＦアンプ５３の最大入力電圧の振幅を有する信号である。上記のような周波数、波形、振幅の排水音信号でスピーカ２５を振動させることで、スピーカグリル１８に詰まった水を効率的に排水することができる。
【００３６】
また、この受信回路３２では、信号切換回路５２を電子ボリューム５１の後段に設け、ＡＦアンプ５３に入力される排水音信号およびアラーム信号が電子ボリューム５１の影響を受けないようにしたことにより、最大音量の信号をＡＦアンプ５３に入力することができる。なお、通常のビープ音信号をこの位置からＡＦアンプ５３に供給する場合は、制御部３０で予めレベル調整をして信号切換回路５２に入力するようにすればよい。
【００３７】
ＡＦアンプ５３は、入力されるオーディオ信号をスピーカ２５を駆動できるレベルに増幅する。増幅されたオーディオ信号はスピーカ２５に出力される。ＡＦアンプ５３には、昇圧回路５４を介して電源電圧が供給される。昇圧回路５４は、制御部３０から入力される電圧切換信号ＥＣＨに応じて、電源供給回路４３から供給される電圧（５Ｖ）を、そのまま、または、昇圧してＡＦアンプ５３に供給する回路である。昇圧回路５４は、ＥＣＨがＬの場合には、バイパス線路を介して、電源供給回路４３から入力された電圧をそのままＡＦアンプ５３に供給する。昇圧回路５４は、ＥＣＨがＨの場合には、電圧を８Ｖに昇圧してＡＦアンプ５３に供給する。昇圧回路５４は、チャージポンプ回路が好適であるが、他の方式の回路（たとえばチョッパ回路）であってもよい。また、電圧を昇圧させる回路を設けず、ＥＣＨがＨの場合、バッテリ４４の電圧（７．４Ｖ）を直接導いてＡＦアンプ５３に供給するようにしてもよい。
【００３８】
ＡＦアンプ５３の最大出力は、通常の電源電圧（５Ｖ）では、０．８Ｗ程度であり、昇圧された電源電圧（８Ｖ）では、１．８〜２．０Ｗ程度である。昇圧された電源電圧を用いて大きな出力（振幅）の排水音信号でスピーカ２５を振動させることにより、高い音圧でより効率的にスピーカグリル１８の排水を行うことができる。なお、スピーカ２５は、２Ｗの入力に耐えられるものを用いる。
【００３９】
このように、排水時にＡＦアンプ５３の電源電圧を高くし、且つＡＦアンプ５３に最大入力電圧の振幅の排水音信号を入力するようにしたので、スピーカ２５を極めて高い音圧で振動させることができ、高い排水効果を得ることができる。
【００４０】
制御部３０は、電源供給回路４３から電源電圧が供給されることによって起動し、トランシーバ１の動作を制御し、特に、水没検出回路４１から入力される水没信号ＷＥＴの変化を監視し、以下の動作を実行する。
【００４１】
水没検出部４１から入力されるＷＥＴがＬからＨに変化すると、トランシーバ１が水没したと判断して以下の動作を行う。電源オフ状態であっても、ＷＥＴがＨに変化するとＯＲ回路４２の出力がＨになり、電源供給回路４３を介してバッテリ４４の電力が制御部３０に供給されるため、制御部３０が起動し、以下の動作が実行される。
（１）ＬＥＤ６１を点滅させる。このため、ＬＥＤ点灯回路３３に入力するＬＥＤ点灯信号ＬＯＮを約０．５秒間隔でＨ／Ｌを切り換える。ＬＥＤ点灯回路３３は、ＬＯＮがＨになったときＬＥＤ６１に電流を通じて点灯させる。ＬＯＮが周期的にＨ／Ｌを繰り返すため、ＬＥＤ６１は点滅する。
（２）アラーム音を発生させる。このため、オーディオ切換信号ＡＣＨをＨに立ち上げて信号切換回路５２を制御部３０側に切り換え、アラーム音のオーディオ信号を信号切換回路５２に入力する。スピーカグリル１８内が完全に水で塞がっていなければ、このアラーム音は外部に放音され、ユーザに到達する。
（３）電源維持信号ＰＯＮをＨに立ち上げる。すなわち、制御部３０は、一連の水没対応動作（水没告知動作およびスピーカグリル排水動作）の間、ＰＯＮをＨに立ち上げてＯＲ回路４２に入力し、電源スイッチオン信号ＰＳＯＮの状態にかかわらず電源オン状態を維持する。
【００４２】
こののち、ＷＥＴがＨからＬに変化すると、制御部３０は、トランシーバ１が水面から取り上げられたと判断し、次の動作を実行する。
（１）アラーム音を停止し、排水音を発生させる。すなわち、信号切換回路５２に入力するオーディオ信号をアラーム音信号から排水音信号に切り換える。
（２）ＡＦアンプ５３の電源電圧を高電圧に切り換える。このため、昇圧回路５４に出力する電圧切換信号ＥＣＨをＨに立ち上げる。
（３）ＬＥＤ６１の点滅時間、排水音の発生時間を測定するタイマ１、２を起動する。なお、取り上げ後のＬＥＤ６１の点滅時間を決定するタイマ１のタイムアップ時間は、５〜３０秒の間でユーザが設定可能である。また、排水音の発生時間を決定するタイマ２のタイムアップ時間は、スピーカグリル１８の大きさ、形状、スピーカ２５の出力等に基づいて適当な時間を設定すればよく、たとえば１０秒程度が適当である。また、ユーザによる設定を可能にしてもよい。このとき、排水音がスピーカ２５に与えるストレスを考慮し、タイマ２のタイムアップ時間に上限を設け、この上限を超えるタイムアップ時間の設定を受け付けないようにしてもよい。
【００４３】
こののち、タイマ１がタイムアップすると、ＬＥＤ６１の点滅を停止させる。すなわち、ＬＯＮ信号をＬに固定する。また、タイマ２がタイムアップすると、排水音の発生を停止する。すなわち、制御部３０は、排水音信号の出力を停止するとともに、オーディオ切換信号ＡＣＨをＬに落として信号切換回路５２を電子ボリューム５１側に切り換える。さらに、電圧切換信号をＬに落としてＡＦアンプ５３に供給される電源電圧を低電圧に切り換える。
【００４４】
スピーカ２５から排水音を発生させるスピーカグリル排水動作では、スピーカグリル１８内が水で満たされている場合、当初は、排水音は外部に伝わらず、排水音の音圧によってスピーカグリル１８から水が噴き出すのみである。そして、スピーカグリル１８内の水が減少してくると、排水音が外部に聞こえ始める。１０秒程度の動作時間でスピーカグリル１８内の水はほぼ完全に排出される。
【００４５】
トランシーバ１が水面から取り上げられたのち、タイマ１、タイマ２のうち一方がタイムアップするまでは、ＬＥＤ６１の点滅と排水音の発生が並行して行われる。これにより、ユーザは、取り上げたトランシーバ１から排水音が聴こえなくても、ＬＥＤ６１が点滅していることで、排水音が発生していることを認識することができる。
【００４６】
タイマ１、タイマ２の両方がタイムアップすると、制御部３０は、ＬＥＤ６１の点滅、排水音の発生の両方を停止させたのち、ＰＯＮをＬに落とす。パワーキー１７２の操作によって電源スイッチオン信号ＰＳＯＮがＨになっている場合には、電源オンの状態がそのまま維持されるが、ＰＳＯＮがＬの場合には、ＰＯＮがＬになることによって電源がオフされる。すなわち、電源供給回路４３が電源の供給を停止する。
【００４７】
なお、制御部３０に接続されている排水キー１７０は、ユーザによるマニュアル操作でスピーカグリル排水動作を実行させるためのキースイッチである。排水キー１７０がオンされると、制御部３０に入力されるＤＯＮ信号がＨにプルアップされる。制御部３０は、このＤＯＮ信号のＨを検出している間、オーディオ切換信号ＡＣＨをＨに立ち上げて信号切換回路５２を制御部３０側に切り換え、排水音信号を信号切換回路５２に入力する。さらに、昇圧回路５４に出力する電圧切換信号ＥＣＨをＨに立ち上げて、ＡＦアンプ５３の電源電圧を高電圧に切り換える。
【００４８】
図４、図５のフローチャートを参照して、制御部３０による上記水没監視処理について説明する。なお、この処理では、水没対応処理の段階を表すステータスフラグＳＴを設けているが、必須ではない。ステータスフラグＳＴは０，１，２，３の４つの状態を持ち、デフォルトは０である。
【００４９】
図４（Ａ）は、水没監視処理のメインルーチンを示すフローチャートである。この処理は、所定時間毎（たとえば１０ｍｓ毎）に実行される。この処理では、水没信号であるＷＥＴがＬからＨに立ち上がったか（Ｓ１）、ＷＥＴがＨからＬに立ち下がったか（Ｓ２）、タイマ１がタイムアップしたか（Ｓ３）、および、タイマ２がタイムアップしたか（Ｓ４）をそれぞれ判定する。
【００５０】
ここで、ＷＥＴの立ち上がりおよび立ち下がりは、ＷＥＴとステータスフラグＳＴとを比較することで検出される。すなわち、ステータスフラグＳＴが１以外の状態でＷＥＴのＨが検出されたとき、ＷＥＴが立ち上がったと判定される。その直後の水没処理でステータスフラグＳＴは１に書き換えられるため、取り上げられたのち再度水没するまで「ＳＴ≠１且つＷＥＴ＝Ｈ」となることはない。なお、ステータスフラグＳＴは、制御部３０が起動したとき０にリセットされるため、電源オフ中にトランシーバ１が水没した場合でも、制御部３０が起動して最初に図４（Ａ）のメインルーチンを実行したとき、「ＳＴ＝０且つＷＥＴ＝Ｈ」となっているため、これによってＷＥＴの立ち上がりを検出することができる。また、ＷＥＴの立ち下がりは、ステータスフラグＳＴが１の状態でＷＥＴのＬが検出されたことによって判定される。
【００５１】
ＷＥＴが立ち上がった場合には（Ｓ１でＹＥＳ）、トランシーバ１が水没したとして、水没処理（図４（Ｂ））を実行する（Ｓ５）。ＷＥＴが立ち下がった場合には（Ｓ２でＹＥＳ）、トランシーバ１が水面から取り上げられたとして、取り上げ処理（図４（Ｃ））を実行する（Ｓ６）。タイマ１がタイムアップした場合には（Ｓ３でＹＥＳ）、ＬＥＤ６１の点滅時間が終了したとして、点滅停止処理（図５（Ａ））を実行する（Ｓ７）。そして、タイマ２がタイムアップした場合には（Ｓ４でＹＥＳ）、排水音の発生時間が終了したとして、排水停止処理（図５（Ｂ））を実行する（Ｓ８）。
【００５２】
以下、図４（Ｂ）〜図５（Ｂ）を参照して、水没処理、取り上げ処理、点滅停止処理、および、排水停止処理について説明する。
【００５３】
図４（Ｂ）は、ＷＥＴがＬからＨに立ち上がったとき実行される水没処理を示すフローチャートである。水没処理では、まず、ＬＥＤ６１の点滅を開始させる（Ｓ１１）。すなわち、ＬＥＤ点滅信号発生ルーチンを起動する。ＬＥＤ点滅信号発生ルーチンは、ＬＥＤ点灯信号ＬＯＮを約０．５秒間隔でＨ／Ｌを切り換え、ＬＥＤ点灯回路３３に入力するルーチンである。アラーム音の発生をスタートさせる（Ｓ１２）。すなわち、アラーム音信号生成ルーチンを起動する。アラーム音信号生成ルーチンは、アラーム音の信号波形（たとえば１ｋＨｚの最大振幅の正弦波）を生成するルーチンである。生成された信号波形は信号切換回路５２に入力される。ＰＯＮ信号を立ち上げる（Ｓ１３）。そして、ステータスフラグＳＴに１をセットする（Ｓ１４）。
【００５４】
図４（Ｃ）は、ＷＥＴがＨからＬに立ち下がったとき実行される取り上げ処理を示すフローチャートである。取り上げ処理では、アラーム音を停止し（Ｓ２１）、排水音を発生させるスピーカグリル排水動作を開始する（Ｓ２２）。すなわち、アラーム音信号生成ルーチンを停止し、排水音発生ルーチンを起動するとともに、昇圧回路５４に出力する電圧切換信号ＥＣＨをＨに立ち上げる。排水音信号生成ルーチンは、排水音の信号波形（たとえば３００Ｈｚの最大振幅の矩形波）を生成するルーチンである。生成された信号波形は信号切換回路５２に入力される。タイマ１、２をスタートさせる（Ｓ２３）。そして、ステータスフラグＳＴに２をセットする（Ｓ２４）。
【００５５】
図５（Ａ）は、タイマ１がタイムアップしたとき実行される点滅停止処理を示すフローチャートである。まず、ＬＥＤ６１の点滅を停止させる（Ｓ３０）。すなわち、ＬＥＤ点滅信号発生ルーチンを停止する。次に、ステータスフラグＳＴが、既に他方のタイマ（タイマ２）がタイムアップしていることを示す「３」であるか否かを判定する（Ｓ３１）。ステータスフラグＳＴが３の場合には（Ｓ３１でＹＥＳ）、ＰＯＮをＨからＬに立ち下げるとともに（Ｓ３２）、ステータスフラグＳＴに水没なしを示す０をセットして（Ｓ３３）、動作を終了する。ステータスフラグＳＴが３でない（２のままである）場合には（Ｓ３１でＮＯ）、ステータスフラグＳＴに３をセットして（Ｓ３４）、動作を終了する。
【００５６】
図５（Ｂ）は、タイマ２がタイムアップしたとき実行される排水停止処理を示すフローチャートである。まず、スピーカグリル排水動作を停止させる（Ｓ４０）。すなわち、排水音信号生成ルーチンを停止するとともに、オーディオ切換信号ＡＣＨをＬに落として信号切換回路５２を電子ボリューム５１側に切り換え、電圧切換信号をＬに落としてＡＦアンプ５３に供給される電源電圧を低電圧に切り換える。次に、ステータスフラグＳＴが、既に他方のタイマ（タイマ１）がタイムアップしていることを示す「３」であるか否かを判定する（Ｓ４１）。ステータスフラグＳＴが３の場合には（Ｓ４１でＹＥＳ）、ＰＯＮをＨからＬに立ち下げるとともに（Ｓ４２）、ステータスフラグＳＴに水没なしを示す０をセットして（Ｓ４３）、動作を終了する。ステータスフラグＳＴが３でない（２のままである）場合には（Ｓ４１でＮＯ）、ステータスフラグＳＴに３をセットして（Ｓ４４）、動作を終了する。
【００５７】
この実施形態では、船舶通信用のハンディトランシーバを例にあげて説明したが、この発明の電子機器は、ハンディトランシーバに限定されない。また、据置型の電子機器であってもよい。
【００５８】
また、この実施形態のトランシーバ１は防水かつ水に浮く（水よりも比重が小さい）構成であったが、水と比重が同じまたは水よりも比重が大きい電子機器に本発明を適用することも可能である。
【符号の説明】
【００５９】
１  トランシーバ
１１  筐体
１８  スピーカグリル
２５  スピーカ
【図１】
0006040561.tif 000002
【図２】
0006040561.tif 000003
【図３】
0006040561.tif 000004
【図４】
0006040561.tif 000005
【図５】
0006040561.tif 000006